【手続補正書】
【提出日】平成17年12月12日(2005.12.12)
【手続補正１】
【補正対象書類名】明細書
【補正対象項目名】発明の名称
【補正方法】変更
【補正の内容】
【発明の名称】撮像装置、情報処理装置、制御方法、及び記憶媒体
【手続補正２】
【補正対象書類名】明細書
【補正対象項目名】特許請求の範囲
【補正方法】変更
【補正の内容】
【特許請求の範囲】
【請求項１】  外部機器内の記憶手段に対して画像データの転送が可能な撮像装置であって、
前記外部機器から取得した、前記記憶手段のディレクトリ構造に係るディレクトリ情報を含む画面を表示する表示手段と、
前記画面を介した操作指示に基づいて、前記記憶手段における画像データの転送先ディレクトリを指定する指定手段と、
前記画像データの転送を指示する転送指示手段と、
前記転送指示手段により画像データの転送指示がなされた場合、前記指定手段により指定された転送先ディレクトリに対して画像データを転送する転送手段と
を備えることを特徴とする撮像装置。
【請求項２】  前記転送指示手段の転送指示に基づいて、前記画像データ及び前記指定手段により指定された転送先ディレクトリに前記画像データを格納するためのコマンドを、前記外部機器に送信する送信手段を更に備えることを特徴とする請求項１記載の撮像装置。
【請求項３】  撮像装置と接続可能な情報処理装置であって、
階層化されたディレクトリ構造における任意のディレクトリにおいて、前記撮像装置により撮像された画像データを、ファイル単位で記憶する記憶手段と、
前記ディレクトリ構造を管理するファイル管理手段と、
前記撮像装置からの要求に基づいて、前記ファイル管理手段により管理されるディレクトリ構造に係るディレクトリ情報を前記撮像装置に送信する送信手段と
を備えることを特徴とする情報処理装置。
【請求項４】  前記撮像装置からの要求に基づいて、前記撮像装置から指定されたディレクトリに新規ファイルを作成し、前記新規ファイルに前記撮像装置からの前記画像データを格納するファイリング手段を更に備えることを特徴とする請求項３記載の情報処理装置。
【請求項５】  外部機器に対する画像データの転送が可能な撮像装置であって、
画像データの転送に係る転送画面を表示する表示手段と、
前記転送画面を介した操作指示に基づいて、転送に関する指示を指定する指定手段と、
前記画像データの転送を指示する転送指示手段と、
前記転送指示手段により画像データの転送指示がなされた場合、前記指定手段による指定に対応して画像データを転送する転送手段と
を備えることを特徴とする撮像装置。
【請求項６】  前記指定手段は、前記転送画面を介した操作指示に基づいて、前記画像データの転送先を指定することを特徴とする請求項５記載の撮像装置。
【請求項７】  前記転送先の情報を前記外部機器から取得する取得手段を更に備えることを特徴とする請求項６記載の撮像装置。
【請求項８】  外部機器内の記憶手段に対して画像データの転送が可能な撮像装置における制御方法であって、
前記外部機器から取得した、前記記憶手段のディレクトリ構造に係るディレクトリ情報を含む画面を表示する表示ステップと、
前記画面を介した操作指示に基づいて、前記記憶手段における画像データの転送先ディレクトリを指定する指定ステップと、
前記画像データの転送を指示する転送指示ステップと、
前記転送指示ステップにおいて画像データの転送指示がなされた場合、前記指定ステップにおいて指定された転送先ディレクトリに対して画像データを転送する転送ステップと
を備えることを特徴とする制御方法。
【請求項９】  前記転送指示ステップにおける転送指示に基づいて、前記画像データ及び前記指定ステップにおいて指定された転送先ディレクトリに前記画像データを格納するためのコマンドを、前記外部機器に送信する送信ステップを更に備えることを特徴とする請求項８記載の制御方法。
【請求項１０】  撮像装置と接続可能な情報処理装置における制御方法であって、
階層化されたディレクトリ構造における任意のディレクトリにおいて、前記撮像装置により撮像された画像データを、ファイル単位で記憶する記憶手段に前記画像データを記憶する記憶ステップと、
前記ディレクトリ構造を管理するファイル管理ステップと、
前記撮像装置からの要求に基づいて、前記ファイル管理ステップにおいて管理されているディレクトリ構造に係るディレクトリ情報を前記撮像装置に送信する送信ステップと
を備えることを特徴とする制御方法。
【請求項１１】  前記撮像装置からの要求に基づいて、前記撮像装置から指定されたディレクトリに新規ファイルを作成し、前記新規ファイルに前記撮像装置からの前記画像データを格納するファイリングステップを更に備えることを特徴とする請求項１０記載の制御方法。
【請求項１２】  外部機器に対する画像データの転送が可能な撮像装置における制御方法であって、
画像データの転送に係る転送画面を表示する表示ステップと、
前記転送画面を介した操作指示に基づいて、転送に関する指示を指定する指定ステップと、
前記画像データの転送を指示する転送指示ステップと、
前記転送指示ステップにおいて画像データの転送指示がなされた場合、前記指定ステップにおける指定に対応して画像データを転送する転送ステップと
を備えることを特徴とする制御方法。
【請求項１３】  前記指定ステップにおいては、前記画像データの転送先が指定されることを特徴とする請求項１２記載の制御方法。
【請求項１４】  前記転送先の情報を前記外部機器から取得する取得ステップを更に備えることを特徴とする請求項１３記載の制御方法。
【請求項１５】  コンピュータに、
外部機器から取得した、前記外部機器内の記憶手段のディレクトリ構造に係るディレクトリ情報を含む画面を表示する表示手順と、
前記画面を介した操作指示に基づいて、前記記憶手段における画像データの転送先ディレクトリを指定する指定手順と、
前記画像データの転送を指示する転送指示手順と、
前記転送指示手順において画像データの転送指示がなされた場合、前記指定手順において指定された転送先ディレクトリに対して画像データを転送する転送手順と
を実行させるプログラムを記憶したことを特徴とするコンピュータ読み取り可能な記憶媒体。
【請求項１６】  コンピュータに、
階層化されたディレクトリ構造における任意のディレクトリにおいて、撮像装置により撮像された画像データを、ファイル単位で記憶する記憶手段に前記画像データを記憶する記憶手順と、
前記ディレクトリ構造を管理するファイル管理手順と、
前記撮像装置からの要求に基づいて、前記ファイル管理手順において管理されているディレクトリ構造に係るディレクトリ情報を前記撮像装置に送信する送信手順と
を実行させるプログラムを記憶したことを特徴とするコンピュータ読み取り可能な記憶媒体。
【請求項１７】  コンピュータに、
外部機器に対する画像データの転送に係る転送画面を表示する表示手順と、
前記転送画面を介した操作指示に基づいて、転送に関する指示を指定する指定手順と、
前記画像データの転送を指示する転送指示手順と、
前記転送指示手順において画像データの転送指示がなされた場合、前記指定手順における指定に対応して画像データを転送する転送手順と
を実行させるプログラムを記憶したことを特徴とするコンピュータ読み取り可能な記憶媒体。
【手続補正３】
【補正対象書類名】明細書
【補正対象項目名】０００４
【補正方法】変更
【補正の内容】
【０００４】
本発明は、上記の問題を解決するために成されたもので、利用者が容易に情報処理装置等の外部機器に対して画像データを転送することができるようにすることを目的とする。
【手続補正４】
【補正対象書類名】明細書
【補正対象項目名】０００５
【補正方法】変更
【補正の内容】
【０００５】
【課題を解決するための手段】
上記問題を解決するため、本発明は、外部機器内の記憶手段に対して画像データの転送が可能な撮像装置であって、前記外部機器から取得した、前記記憶手段のディレクトリ構造に係るディレクトリ情報を含む画面を表示する表示手段と、前記画面を介した操作指示に基づいて、前記記憶手段における画像データの転送先ディレクトリを指定する指定手段と、前記画像データの転送を指示する転送指示手段と、前記転送指示手段により画像データの転送指示がなされた場合、前記指定手段により指定された転送先ディレクトリに対して画像データを転送する転送手段とを備えることを特徴とすることを特徴とする。
【手続補正５】
【補正対象書類名】明細書
【補正対象項目名】０００６
【補正方法】変更
【補正の内容】
【０００６】
また、本発明は、撮像装置と接続可能な情報処理装置であって、階層化されたディレクトリ構造における任意のディレクトリにおいて、前記撮像装置により撮像された画像データを、ファイル単位で記憶する記憶手段と、前記ディレクトリ構造を管理するファイル管理手段と、前記撮像装置からの要求に基づいて、前記ファイル管理手段により管理されるディレクトリ構造に係るディレクトリ情報を前記撮像装置に送信する送信手段とを備えることを特徴とする。
【手続補正６】
【補正対象書類名】明細書
【補正対象項目名】０００７
【補正方法】変更
【補正の内容】
【０００７】
また、本発明は、外部機器に対する画像データの転送が可能な撮像装置であって、画像データの転送に係る転送画面を表示する表示手段と、前記転送画面を介した操作指示に基づいて、転送に関する指示を指定する指定手段と、前記画像データの転送を指示する転送指示手段と、前記転送指示手段により画像データの転送指示がなされた場合、前記指定手段による指定に対応して画像データを転送する転送手段とを備えることを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００６７
【補正方法】変更
【補正の内容】
【００６７】
【発明の効果】
以上説明したように本発明によれば、撮像装置と接続された情報処理装置等の外部機器へ画像データを転送する際に、撮像装置側の操作のみで転送することができるため、例えば情報処理装置の扱いに不慣れな利用者であっても、画像データを簡単に外部機器に転送し管理することができる。